(57)【要約】【課題】上りリンクにおけるピークレートの減少を可及的に回避する。【解決手段】本発明に係る無線基地局ｅＮＢは、配下のセルにおける移動局ＵＥに対して、ＰＵＣＣＨ用のリソース、ＰＵＳＣＨ用のリソース、及び、ＰＲＡＣＨ用のリソースを割り当てるように構成されているスケジューリング部１２を具備し、スケジューリング部１２は、セル内の移動局ＵＥの数が１である場合に、ＰＵＣＣＨ用のリソース及びＰＲＡＣＨ用のリソースの少なくとも１つを、ＰＵＳＣＨ用のリソースとして用いるように構成されている。【選択図】図４
2011109277.tif 000002
【特許請求の範囲】
【請求項１】
配下のセルにおける移動局に対して、上り制御信号を送信するための物理上り制御チャネル用のリソース、上りデータ信号を送信するための物理上り共有チャネル用のリソース、及び、物理ランダムアクセスチャネル用のリソースを割り当てるように構成されているスケジューリング部を具備し、
前記スケジューリング部は、セル内の移動局の数が１である場合に、前記物理上り制御チャネル用のリソース及び前記物理ランダムアクセスチャネル用のリソースの少なくとも１つを、前記物理上り共有チャネル用のリソースとして用いるように構成されていることを特徴とする無線基地局。
【請求項２】
前記移動局の数は、ＲＲＣコネクションを確立している移動局ＵＥの数、Ｎｏｎ  ＤＲＸである移動局の数、バッファ内にデータが存在する移動局の数、スケジューリングの計算の対象になった移動局の数、実際に共有チャネルが割り当てられると決定した移動局の数の少なくとも１つであることを特徴とする請求項１に記載の無線基地局。
【請求項３】
前記スケジューリング部は、前記物理ランダムアクセスチャネル用のリソースについては、前記物理上り共有チャネル用のリソースとして用いないように構成されていることを特徴とする請求項１に記載の無線基地局。
【請求項４】
無線基地局が、配下のセルにおける移動局に対して、上り制御信号を送信するための物理上り制御チャネル用のリソース、上りデータ信号を送信するための物理上り共有チャネル用のリソース、及び、物理ランダムアクセスチャネル用のリソースを割り当てる工程を有し、
前記工程において、前記無線基地局は、セル内の移動局の数が１である場合に、前記物理上り制御チャネル用のリソース及び前記物理ランダムアクセスチャネル用のリソースの少なくとも１つを、前記物理上り共有チャネル用のリソースとして用いることを特徴とする移動通信方法。
【請求項５】
前記移動局ＵＥの数は、ＲＲＣコネクションを確立している移動局ＵＥの数、Ｎｏｎ  ＤＲＸである移動局の数、バッファ内にデータが存在する移動局の数、スケジューリングの計算の対象になった移動局の数、実際に共有チャネルが割り当てられると決定した移動局の数の少なくとも１つであることを特徴とする請求項４に記載の移動通信方法。
【請求項６】
前記工程において、前記無線基地局は、前記物理ランダムアクセスチャネル用のリソースについては、前記物理上り共有チャネル用のリソースとして用いないことを特徴とする請求項４に記載の移動通信方法。
【発明の詳細な説明】
【技術分野】
【０００１】
本発明は、無線基地局及び移動通信方法に関する。
【背景技術】
【０００２】
ＬＴＥ（Ｌｏｎｇ  Ｔｅｒｍ  Ｅｖｏｌｕｔｉｏｎ）方式の移動通信システムにおける理論的なピークレートは、非特許文献１に記載されている「ＴＢＳ（Ｔｒａｎｓｐｏｒｔ  Ｂｌｏｃｋ  Ｓｉｚｅ）テーブル」によって決定される。
【先行技術文献】
【非特許文献】
【０００３】
【非特許文献１】３ＧＰＰ  ＴＳ３６.２１３
【発明の概要】
【発明が解決しようとする課題】
【０００４】
しかしながら、上述の移動通信システムでは、上りリンクにおいて、システム帯域幅の両端に、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）用のＲＢ（Ｒｅｓｏｕｒｃｅ  Ｂｌｏｃｋ）が確保されており、また、任意の６ＲＢが、ＰＲＡＣＨ（Ｐｈｙｓｉｃａｌ  Ｒａｎｄｏｍ  Ａｃｃｅｓｓ  Ｃｈａｎｎｅｌ）用のリソースとして確保されているため、ピークレートが減少してしまうという問題点があった。
【０００５】
そこで、本発明は、上述の課題に鑑みてなされたものであり、上りリンクにおけるピークレートの減少を可及的に回避することができる無線基地局及び移動通信方法を提供することを目的とする。
【課題を解決するための手段】
【０００６】
本発明の第１の特徴は、無線基地局であって、配下のセルにおける移動局に対して、上り制御信号を送信するための物理上り制御チャネル用のリソース、上りデータ信号を送信するための物理上り共有チャネル用のリソース、及び、物理ランダムアクセスチャネル用のリソースを割り当てるように構成されているスケジューリング部を具備し、前記スケジューリング部は、セル内の移動局の数が１である場合には、前記物理上り制御チャネル用のリソース及び前記物理ランダムアクセスチャネル用のリソースの少なくとも１つを、前記物理上り共有チャネル用のリソースとして用いるように構成されていることを要旨とする。
【０００７】
本発明の第２の特徴は、移動通信方法であって、無線基地局が、配下のセルにおける移動局に対して、上り制御信号を送信するための物理上り制御チャネル用のリソース、上りデータ信号を送信するための物理上り共有チャネル用のリソース、及び、物理ランダムアクセスチャネル用のリソースを割り当てる工程を有し、  前記工程において、前記無線基地局は、セル内の移動局ＵＥの数が１である場合には、前記物理上り制御チャネル用のリソース及び前記物理ランダムアクセスチャネル用のリソースの少なくとも１つを、前記物理上り共有チャネル用のリソースとして用いることを要旨とする。
【発明の効果】
【０００８】
以上説明したように、本発明によれば、上りリンクにおけるピークレートの減少を可及的に回避することができる無線基地局及び移動通信方法を提供することができる。
【図面の簡単な説明】
【０００９】
【図１】本発明の第１の実施形態に係る移動通信システムの全体構成図である。
【図２】本発明の第１の実施形態に係る移動通信システムの上りリンクにおけるチャネル構成図である。
【図３】本発明の第１の実施形態に係る無線基地局の機能ブロック図である。
【図４】本発明の第１の実施形態に係る無線基地局の動作を示すフローチャートである。
【図５】本発明の第１の実施形態に係る無線基地局の動作を示すフローチャートである。
【発明を実施するための形態】
【００１０】
（本発明の第１の実施形態に係る移動通信システムの構成）
図１乃至図３を参照して、本発明の第１の実施形態に係る移動通信システムの構成について説明する。
【００１１】
本実施形態に係る移動通信システムは、ＬＴＥ方式の移動通信システムであって、図１に示すように、無線基地局ｅＮＢと、移動局ＵＥとを具備している。
【００１２】
本実施形態に係る移動通信システムでは、無線基地局ｅＮＢは、下りリンクにおいて、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、スケジューリング信号等を含む下り制御信号を送信するように構成されている。
【００１３】
また、移動局ＵＥは、ＰＵＣＣＨを介して、上り制御信号を送信し、ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）を介して、上りデータ信号を送信し、ＰＲＡＣＨを介して、ランダムアクセス手順用信号（例えば、ＲＡＣＨプリアンブル等）を送信し、ＤＭＲＳ（ＤｅＭｏｄｕｒａｔｉｏｎ  Ｒｅｆｅｒｅｎｃｅ  Ｓｉｇｎａｌ、復調用参照信号）を送信し、チャネル品質の測定に用いられるＳＲＳ（Ｓｏｕｎｄｉｎｇ  Ｒｅｆｅｒｅｎｃｅ  Ｓｉｇｎａｌ、サウンディング参照信号）を送信するように構成されている。
【００１４】
図２に示すように、セルごとに、任意の６ＲＢ（１.０８ＭＨｚ）が、ＰＲＡＣＨ用のリソースとして確保されるように構成されている。
【００１５】
また、ＰＵＣＣＨ用のリソースは、システム帯域幅の両端に、サブフレーム内の周波数ホッピングを適用して確保されるように構成されている。
【００１６】
また、ＳＲＳ用のリソースは、サブフレームの最終シンボルに確保されるように構成されている。
【００１７】
なお、ＬＴＥ方式の移動通信システムでは、無線フレームの時間長は、１０ｍｓであり、サブフレームの時間長は、１ｍｓであり、スロットの時間長は、０.５ｍｓである。また、１ＲＢの周波数帯域幅は、１８０ｋＨｚである。
【００１８】
図３に示すように、無線基地局ｅＮＢは、ＲＲＣコネクション管理部１１と、スケジューリング部１２と、ＰＤＣＣＨ送信部１３とを具備している。
【００１９】
ＲＲＣコネクション管理部１１は、各セルにおいてＲＲＣコネクションを確立している移動局ＵＥの数を管理するように構成されている。
【００２０】
スケジューリング部１２は、配下のセルにおける移動局ＵＥに対するスケジューリング処理を行うように構成されている。
【００２１】
ここで、スケジューリング部１２は、セル内の移動局ＵＥの数が１である場合に、ＰＵＣＣＨ用のリソース及びＰＲＡＣＨ用のリソースの少なくとも１つを、ＰＵＳＣＨ用のリソースとして用いるように構成されていてもよい。
【００２２】
なお、上述したセル内の移動局ＵＥの数が１である場合に、ＰＵＣＣＨ用のリソース及びＰＲＡＣＨ用のリソースの少なくとも１つを、ＰＵＳＣＨ用のリソースとして用いるという処理は、サブフレーム（スケジューリング処理の単位期間。すなわち、サブフレーム毎にスケジューリング処理が行われる。）毎に行われてもよいし、或いは、所定のタイムフレーム毎に行われてもよい。かかる所定のタイムフレーム毎とは、例えば、１００ｍｓ毎や１ｓ毎であってもよい。
【００２３】
また、移動局ＵＥの数は、例えば、ＲＲＣコネクションを確立している移動局ＵＥの数（ＲＲＣ  ｃｏｎｎｅｃｔｅｄ  ＵＥの数）であってもよいし、Ｎｏｎ  ＤＲＸである移動局ＵＥの数であってもよいし、バッファ（Ｂｕｆｆｅｒ）内にデータ（Ｄａｔａ）が存在する移動局ＵＥの数であってもよいし、スケジューリングの計算の対象になった移動局ＵＥの数であってもよいし、実際に共有チャネルが割り当てられると決定した移動局ＵＥの数であってもよい。
【００２４】
或いは、上述した移動局ＵＥの数の２つ以上に関して、その数が１であるか否かが考慮されてもよい。
【００２５】
なお、スケジューリングの計算の対象になった移動局ＵＥとは、当該サブフレームにおいて共有チャネルの割り当てが行われる可能性のある移動局ＵＥのことを指し、実際に共有チャネルの割り当てが行われた移動局ＵＥと、実際には共有チャネルの割り当てが行われなかった移動局ＵＥの両方を含んでよい。
【００２６】
以下では、移動局ＵＥの数が、ＲＲＣコネクションを確立している移動局ＵＥの数であるものとして説明を行う。
【００２７】
すなわち、スケジューリング部１２は、セル内のＲＲＣコネクションを確立している移動局ＵＥの数が複数である場合に、ＰＵＣＣＨ用のリソース及びＰＲＡＣＨ用のリソースの双方を、ＰＵＳＣＨ用のリソースとして用いないように構成されていてもよい。
【００２８】
例えば、スケジューリング部１２は、セル内のＲＲＣコネクションを確立している移動局ＵＥの数が１である場合に、固定的に確保したＰＵＣＣＨ用のリソース（すなわち、ＲＢ）を、ＰＵＳＣＨ用のリソースとして用いるように構成されていてもよい。
【００２９】
かかる場合、スケジューリング部１２は、セル内のＲＲＣコネクションを確立している移動局ＵＥの数が１である場合にも、固定的に確保したＰＲＡＣＨ用のリソース（すなわち、ＲＢ）は、ＰＵＳＣＨ用のリソースとしては用いないように構成されていてもよい。
【００３０】
ここで、かかるセルにおいて、ＰＵＣＣＨを介して上り制御信号を送信する移動局ＵＥは、ＲＲＣコネクションを確立している１つの移動局ＵＥのみであるため、上述のように、固定的に確保したＰＵＣＣＨ用のリソースを、ＰＵＳＣＨ用のリソースとして用いたとしても、他の移動局ＵＥによって送信される上り制御信号と当該移動局ＵＥによって送信される上りデータ信号とが衝突することは無い。
【００３１】
かかる場合、ＰＵＣＣＨ用のリソースをＰＵＳＣＨ用のリソースとして用いるタイミングが、当該ＰＵＣＣＨを介して移動局ＵＥが下りデータ信号に対する送達確認信号（ＡＣＫ/ＮＡＣＫ）を送信するタイミングであった場合、移動局ＵＥは、かかる送達確認信号（ＡＣＫ/ＮＡＣＫ）を、ＰＵＳＣＨを介して送信するように構成されている。
【００３２】
或いは、スケジューリング部１２は、セル内のＲＲＣコネクションを確立している移動局ＵＥの数が１つである場合に、固定的に確保したＰＵＣＣＨ用のリソース（すなわち、ＲＢ）に加えて、固定的に確保したＰＲＡＣＨ用のリソース（すなわち、ＲＢ）を、ＰＵＳＣＨ用のリソースとして用いるように構成されていてもよい。
【００３３】
アイドル（ＩＤＬＥ）状態の移動局ＵＥは、発信を行う場合に、ＰＲＡＣＨを介してランダムアクセス手順用信号を送信するように構成されているため、ＰＲＡＣＨを介して送信されるランダムアクセス手順用信号とＰＵＳＣＨを介して送信される上りデータ信号とは衝突する可能性がある。
【００３４】
ただし、ＰＲＡＣＨを介して送信されるランダムアクセス手順用信号の電力密度は、ＰＵＳＣＨを介して送信される上り制御信号の電力密度よりも、かなり小さいため、両者が衝突した場合であっても、ＰＵＳＣＨを介して送信される上りデータ信号の劣化の影響は小さいと想定される。
【００３５】
一方、ＰＲＡＣＨを介して送信されるランダムアクセス手順用信号が、無線基地局ｅＮＢにおいて検出されなかった場合には、移動局ＵＥは、ＰｏｗｅｒＲａｍｐｉｎｇＳｔｅｐというステップ幅分だけ、送信電力を上げて、次のＰＲＡＣＨ用の送信タイミングで、ＰＲＡＣＨを介してランダムアクセス手順用信号を送信するように構成されている。
【００３６】
このように、ＰｏｗｅｒＲａｍｐｉｎｇＳｔｅｐというステップ幅分だけランダムアクセス手順用信号の送信電力が増加されると、ランダムアクセス手順用信号とＰＵＳＣＨを介して送信される上りデータ信号とが衝突した場合であっても、無線基地局ｅＮＢにおいて、ランダムアクセス手順用信号が検出される確率が高くなるが、逆に、ＰＵＳＣＨを介して送信される上りデータ信号が正しく復号される確率が低くなり、上りリンクにおけるレートが低くなってしまうという問題点が発生する。
【００３７】
かかる問題点を回避するため、スケジューリング部１２は、所定周期Ｘごとに、時間方向に連続する所定数ＹのＰＲＡＣＨ用のリソースについては、ＰＵＳＣＨ用のリソースとして用いないように構成されていてもよい。
【００３８】
すなわち、スケジューリング部１２は、所定周期Ｘごとに、連続Ｙ回のＰＲＡＣＨ用の送信タイミングにおいて、ＰＲＡＣＨ用のリソースをＰＵＳＣＨ用のリソースとして用いないように構成されていてもよい。
【００３９】
例えば、スケジューリング部１２は、１０ｍｓごとに１回、連続１〜２回のＰＲＡＣＨ用の送信タイミングにおいて、ＰＲＡＣＨ用のリソースをＰＵＳＣＨ用のリソースとして用いないように構成されていてもよい。
【００４０】
なお、スケジューリング部１２は、当該セルにおけるＰＵＣＣＨ用のリソースの実際の使用量に基づいて、或いは、当該セルにおいてＲＲＣコネクションを確立している移動局ＵＥの数に基づいて、ＰＵＣＣＨ用のリソースの量（例えば、ＲＢの数）について決定するように構成されていてもよい。
【００４１】
かかる場合、無線基地局ｅＮＢは、決定したＰＵＣＣＨ用のリソースの量（例えば、ＲＢの数）について、報知情報を用いて、かかるセルに存在する移動局ＵＥに対して通知するように構成されている。
【００４２】
また、かかる場合、スケジューリング部１２は、ＰＵＣＣＨ用のリソースを効率的に利用するために、移動局ＵＥごとに個別に割り当てたＰＵＣＣＨ用のリソースを割り当て直すように構成されていてもよい。
【００４３】
（本発明の第１の実施形態に係る移動通信システムの動作）
図４及び図５を参照して、本発明の第１の実施形態に係る移動通信システムの動作について、具体的には、本発明の第１の実施形態に係る無線基地局ｅＮＢの動作について説明する。
【００４４】
図４に示すように、無線基地局ｅＮＢは、ステップＳ１１において、対象のサブフレームにおいて、セル内の「ＲＲＣ  ｃｏｎｎｅｃｔｅｄ  ＵＥ数」が２以上であるか否かについて、すなわち、当該セルにおいてＲＲＣコネクションを確立している移動局ＵＥの数が１つであるか否かについて判定する。
【００４５】
「ＹＥＳ」の場合、本動作は、ステップＳ１２に進み、「ＮＯ」の場合、本動作は、ステップＳ１３に進む。
【００４６】
無線基地局ｅＮＢは、ステップＳ１２において、ＰＵＣＣＨ用のリソース及びＰＲＡＣＨ用のリソースを、ＰＵＳＣＨ用のリソースとして割り当てすることができないと判断し、ステップＳ１４において、ＰＵＳＣＨ用のリソース（すなわち、ＲＢ）の割り当てを実行する。
【００４７】
無線基地局ｅＮＢは、ステップＳ１３において、ＰＵＣＣＨ用のリソースを、ＰＵＳＣＨ用のリソースとして割り当てすることができると判断し、ステップＳ１４において、ＰＵＳＣＨ用のリソース（すなわち、ＲＢ）の割り当てを実行する。
【００４８】
図５に示すように、無線基地局ｅＮＢは、ステップＳ１０１において、「ｋ＝０」、「ｎ＝０」とし、ステップＳ１０２において、対象のサブフレームにおいて、当該セルにおける「ＲＲＣ  ｃｏｎｎｅｃｔｅｄ  ＵＥ数」が２以上であるか否かについて、すなわち、当該セルにおいてＲＲＣコネクションを確立している移動局ＵＥの数が１つであるか否かについて判定する。
【００４９】
「ＹＥＳ」の場合、本動作は、ステップＳ１０３に進み、「ＮＯ」の場合、本動作は、ステップＳ１０４に進む。
【００５０】
無線基地局ｅＮＢは、ステップＳ１０３において、ＰＵＣＣＨ用のリソース及びＰＲＡＣＨ用のリソースを、ＰＵＳＣＨ用のリソースとして割り当てすることができないと判断し、ステップＳ１１３において、ＰＵＳＣＨ用のリソース（すなわち、ＲＢ）の割り当てを実行する。
【００５１】
ステップＳ１０４において、無線基地局ｅＮＢは、対象のサブフレームが、ＰＲＡＣＨ用の送信タイミングであるか否かについて判定する。
【００５２】
「ＹＥＳ」の場合、本動作は、ステップＳ１０６に進み、「ＮＯ」の場合、本動作は、ステップＳ１０５に進む。
【００５３】
無線基地局ｅＮＢは、ステップＳ１０５において、ＰＵＣＣＨ用のリソースを、ＰＵＳＣＨ用のリソースとして割り当てすることができると判断し、ステップＳ１１３において、ＰＵＳＣＨ用のリソース（すなわち、ＲＢ）の割り当てを実行する。
【００５４】
無線基地局ｅＮＢは、ステップＳ１０６において、「ｋ」を「１」だけ増加させ、ステップＳ１０７において、「ｋ＞Ｘ」が成立するか否かについて判定する。ここで、「Ｘ」は、上述した所定周期である。
【００５５】
「ＹＥＳ」の場合、本動作は、ステップＳ１０８に進み、「ＮＯ」の場合、本動作は、ステップＳ１１２に進む。
【００５６】
無線基地局ｅＮＢは、ステップＳ１０８において、「ｎ」を「１」だけ増加させ、ステップＳ１０９において、「ｎ＞Ｙ」が成立するか否かについて判定する。ここで、「Ｙ」は、上述した所定数である。
【００５７】
「ＹＥＳ」の場合、本動作は、ステップＳ１１１に進み、「ＮＯ」の場合、本動作は、ステップＳ１１０に進む。
【００５８】
無線基地局ｅＮＢは、ステップＳ１１０において、ＰＵＣＣＨ用のリソースを、ＰＵＳＣＨ用のリソースとして割り当てすることができると判断し、ＰＲＡＣＨ用のリソースを、ＰＵＳＣＨ用のリソースとして割り当てすることができないと判断し、ステップＳ１１３において、ＰＵＳＣＨ用のリソース（すなわち、ＲＢ）の割り当てを実行する。
【００５９】
無線基地局ｅＮＢは、ステップＳ１１１において、「ｋ＝１」、「ｎ＝０」とし、ステップＳ１１２において、ＰＵＣＣＨ用のリソース及びＰＲＡＣＨ用のリソースを、ＰＵＳＣＨ用のリソースとして割り当てすることができると判断し、ステップＳ１１３において、ＰＵＳＣＨ用のリソース（すなわち、ＲＢ）の割り当てを実行する。
【００６０】
（本発明の第１の実施形態に係る移動通信システムの作用・効果）
本発明の第１の実施形態に係る移動通信システムによれば、セル内のＲＲＣコネクションを確立している移動局ＵＥの数が１である場合、すなわち、閑散時には、ＰＵＣＣＨ用のリソース及びＰＲＡＣＨ用のリソースを、ＰＵＳＣＨ用のリソースとして割り当てることによって、上述のピークレートの減少を最小限に抑えることができる。
【００６１】
以上に述べた本実施形態の特徴は、以下のように表現されていてもよい。
【００６２】
本実施形態の第１の特徴は、無線基地局ｅＮＢであって、配下のセルにおける移動局ＵＥに対して、ＰＵＣＣＨ（上り制御信号を送信するための物理上り制御チャネル）用のリソース、ＰＵＳＣＨ（上りデータ信号を送信するための物理上り共有チャネル）用のリソース、及び、ＰＲＡＣＨ（物理ランダムアクセスチャネル）用のリソースを割り当てるように構成されているスケジューリング部１２を具備し、スケジューリング部１２は、セル内の移動局ＵＥの数が１である場合に、ＰＵＣＣＨ用のリソース及びＰＲＡＣＨ用のリソースの少なくとも１つを、ＰＵＳＣＨ用のリソースとして用いるように構成されていることを要旨とする。
【００６３】
本実施形態の第１の特徴において、上述の移動局ＵＥの数は、例えば、セル内のＲＲＣコネクションを確立している移動局ＵＥの数（ＲＲＣ  ｃｏｎｎｅｃｔｅｄ  ＵＥの数）であってもよいし、Ｎｏｎ  ＤＲＸである移動局ＵＥの数であってもよいし、バッファ内にデータが存在する移動局ＵＥの数であってもよいし、スケジューリングの計算の対象になった移動局ＵＥの数であってもよいし、実際に共有チャネルが割り当てられると決定した移動局ＵＥの数であってもよい。
【００６４】
なお、スケジューリングの計算の対象になった移動局ＵＥとは、当該サブフレームにおいて共有チャネルの割り当てが行われる可能性のある移動局ＵＥのことを指し、実際に共有チャネルの割り当てが行われた移動局ＵＥと、実際には共有チャネルの割り当てが行われなかった移動局ＵＥの両方を含んでよい。
【００６５】
本実施形態の第１の特徴において、スケジューリング部１２は、ＰＲＡＣＨ用のリソースについては、ＰＵＳＣＨ用のリソースとして用いないように構成されていてもよい。
【００６６】
例えば、スケジューリング部１２は、所定周期ごとに、時間方向に連続する所定数のＰＲＡＣＨ用のリソースについては、ＰＵＳＣＨ用のリソースとして用いないように構成されていてもよい。
【００６７】
本実施形態の第２の特徴は、移動通信方法であって、無線基地局ｅＮＢが、配下のセルにおける移動局ＵＥに対して、ＰＵＣＣＨ用のリソース、ＰＵＳＣＨ用のリソース、及び、ＰＲＡＣＨ用のリソースを割り当てる工程を有し、かかる工程において、無線基地局ｅＮＢは、セル内の移動局ＵＥの数が１である場合には、ＰＵＣＣＨ用のリソース及びＰＲＡＣＨ用のリソースの少なくとも１つを、ＰＵＳＣＨ用のリソースとして用いることを要旨とする。
【００６８】
本実施形態の第２の特徴において、上述の移動局ＵＥの数は、例えば、セル内のＲＲＣコネクションを確立している移動局ＵＥの数（ＲＲＣ  ｃｏｎｎｅｃｔｅｄ  ＵＥの数）であってもよいし、Ｎｏｎ  ＤＲＸである移動局ＵＥの数であってもよいし、バッファ内にデータが存在する移動局ＵＥの数であってもよいし、スケジューリングの計算の対象になった移動局ＵＥの数であってもよいし、実際に共有チャネルが割り当てられると決定した移動局ＵＥの数であってもよい。
【００６９】
なお、スケジューリングの計算の対象になった移動局ＵＥとは、当該サブフレームにおいて共有チャネルの割り当てが行われる可能性のある移動局ＵＥのことを指し、実際に共有チャネルの割り当てが行われた移動局ＵＥと、実際には共有チャネルの割り当てが行われなかった移動局ＵＥの両方を含んでよい。
【００７０】
本実施形態の第２の特徴において、ＰＵＣＣＨ用のリソースが、ＰＵＳＣＨ用のリソースとして用いられている場合には、ＲＲＣコネクションを確立している１つの移動局ＵＥは、ＰＵＳＣＨ用のリソースを用いて、下りデータ信号に対する送達確認信号を送信してもよい。
【００７１】
本実施形態の第２の特徴において、上述の工程において、無線基地局ｅＮＢは、ＰＲＡＣＨ用のリソースについては、ＰＵＳＣＨ用のリソースとして用いなくてもよい。
【００７２】
例えば、上述の工程において、無線基地局ｅＮＢは、所定周期ごとに、時間方向に連続する所定数のＰＲＡＣＨ用のリソースについては、ＰＵＳＣＨ用のリソースとして用いなくてもよい。
【００７３】
本実施形態の第３の特徴は、移動局ＵＥであって、ＰＵＣＣＨ用のリソースが、ＰＵＳＣＨ用のリソースとして用いられている場合には、ＲＲＣコネクションを確立している唯一の移動局である場合には、ＰＵＳＣＨ用のリソース用のリソースを用いて、下りデータ信号に対する送達確認信号を送信するように構成されていてもよい。
【００７４】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７８】
ｅＮＢ…無線基地局
１１…ＲＲＣコネクション管理部
１２…スケジューリング部
１３…ＰＤＣＣＨ送信部
【図１】
2011109277.tif 000003
【図２】
2011109277.tif 000004
【図３】
2011109277.tif 000005
【図４】
2011109277.tif 000006
【図５】
2011109277.tif 000007